(57)【要約】【課題】撮像素子の移動機構の薄型化を図ることができる撮像装置を提供する。【解決手段】撮像素子３と、撮像素子３を保持する撮像素子保持板４と、撮像素子保持板４を弾性支持する板バネ５と、撮像素子３を駆動する駆動手段と、撮像素子３が出力する信号を処理し、板バネ５に固定された信号処理基板１１とを備える撮像装置を設ける。そして、駆動手段が、板バネ５を弾性変形させることによって、撮像素子３を光軸Ｌに沿った方向に移動させ、信号処理基板１１を撮像素子３とは逆位相側に移動させる。【選択図】図２
2012208155.tif 000002
【特許請求の範囲】
【請求項１】
撮像手段と、
前記撮像手段を保持する保持手段と、
前記保持手段を弾性支持する弾性支持手段と、
前記弾性支持手段を弾性変形させることによって前記撮像手段を光軸に沿った方向に移動する駆動手段と、
前記撮像手段が出力する信号を処理する手段であって、少なくともその一部が前記弾性支持手段に固定され、前記弾性支持手段の弾性変形によって、前記撮像手段とは逆位相側に移動する信号処理手段とを備える
ことを特徴とする撮像装置。
【請求項２】
前記弾性支持手段に固定される前記信号処理手段の一部が、アナログ／デジタル変換機能を有する信号処理基板である
ことを特徴とする請求項１に記載の撮像装置。
【請求項３】
前記撮像手段と前記信号処理基板とを電気的に接続する接続手段を備え、
前記信号処理基板が、前記撮像手段の背面側に設けられ、前記撮像手段との間に光軸に沿った方向の間隙を有し、
前記接続手段は、前記撮像手段と前記信号処理基板との間の間隙に設けられる
ことを特徴とする請求項２に記載の撮像装置。
【請求項４】
前記接続手段は、光軸と垂直な平面を接続面として互いに接続された第１、第２の接続手段を有し、
前記第１、第２の接続手段の信号伝達距離が同じである
ことを特徴とする請求項３に記載の撮像装置。
【請求項５】
前記接続手段は、湾曲形状を有し、前記撮像手段と前記信号処理基板とを光軸に沿って離れる方向に付勢する
ことを特徴とする請求項３に記載の撮像装置。
【請求項６】
前記保持手段は、前記撮像手段から該撮像手段の長手方向に沿って延伸する第１の平面部と、該第１の平面部と予め決められた角度をなす第１の屈曲部とを備え、
前記弾性支持手段は、放熱手段が設けられた第２の平面部と、該第２の平面部と予め決められた角度をなす第２の屈曲部とを備え、
前記第１の屈曲部と前記第２の屈曲部とは、前記第１の平面部と前記第２の平面部とが平行となるように接続されており、
前記第２の平面部は、前記駆動手段によって駆動されて、前記光軸に沿って前後に撓む弾性部材を備える
ことを特徴とする請求項１乃至５のいずれか１項に記載の撮像装置。
【請求項７】
前記駆動手段は、前記第２の平面部に設けられた、電圧印加によって伸縮する圧電素子を備える
ことを特徴とする請求項１乃至６のいずれか１項に記載の撮像装置。
【請求項８】
撮像手段と、前記撮像手段を保持する保持手段と、前記保持手段を弾性支持する弾性支持手段と、前記撮像手段を駆動する駆動手段と、前記撮像手段が出力する信号を処理する手段であって、少なくともその一部が前記弾性支持手段に固定された信号処理手段とを備える撮像装置の制御方法であって、
前記駆動手段が、前記弾性支持手段を弾性変形させることによって、前記撮像手段を光軸に沿った方向に移動させ、前記信号処理手段を前記撮像手段とは逆位相側に移動させる
ことを特徴とする撮像装置の制御方法。
【発明の詳細な説明】
【技術分野】
【０００１】
本発明は、撮像装置および撮像装置の制御方法に関する。
【背景技術】
【０００２】
一眼レフタイプのレンズ交換式デジタルカメラに関し、静止画撮影機能に加えて動画撮影機能を有する製品が提案されている。そして、動画撮影時に有利なコントラスト検出方式のオートフォーカス機構（以下ではコントラストＡＦと記述）を備える撮像装置の開発がなされている。
【０００３】
コントラストＡＦを備える撮像装置として、交換レンズ内のフォーカスレンズ移動機構に加えて、カメラ本体内の撮像素子の移動機構を備える撮像装置が提案されている。この撮像装置は、撮像素子を撮影光軸方向にウォブリング動作させることを通じてレンズの合焦方向を判定し、その判定結果に基づいてフォーカスレンズを走査して合焦動作を実行する。特許文献１は、圧電素子をアクチュエータとして用いて、撮像素子をウォブリング動作させる機構を備えるビデオカメラを開示している。
【先行技術文献】
【特許文献】
【０００４】
【特許文献１】特開平０５−０４８９５７号公報
【発明の概要】
【発明が解決しようとする課題】
【０００５】
しかし、圧電素子をアクチュエータとして用いた撮像素子の移動機構を備える従来の撮像装置は、以下のような問題がある。すなわち、例えば、レンズ交換式の撮像装置のボディ内部に撮像素子の移動機構を配置すると、撮像装置全体が大型化してしまう。特に、撮像装置の厚さ方向の寸法が長くなってしまうことが問題となる。従って、撮像装置が備える撮像素子の移動機構の薄型化を図ることが必要となる。
【０００６】
本発明は、撮像素子の移動機構の薄型化を図ることができる撮像装置の提供を目的とする。
【課題を解決するための手段】
【０００７】
本発明の一実施形態の撮像装置は、撮像手段と、前記撮像手段を保持する保持手段と、前記保持手段を弾性支持する弾性支持手段と、前記弾性支持手段を弾性変形させることによって前記撮像手段を光軸に沿った方向に移動する駆動手段と、前記撮像手段が出力する信号を処理する手段であって、少なくともその一部が前記弾性支持手段に固定され、前記弾性支持手段の弾性変形によって、前記撮像手段とは逆位相側に移動する信号処理手段とを備える。
【発明の効果】
【０００８】
本発明によれば、より薄型の撮像素子の移動機構を有する撮像装置を提供することができる。
【図面の簡単な説明】
【０００９】
【図１】撮像装置の全体構成の例を示す図である。
【図２】撮影レンズの内部構成例を示す図である。
【図３】撮像装置の要部の外観斜視図である。
【図４】撮像素子の移動機構の動作例を示す図である。
【図５】実施例２の撮像装置の構成例を示す図である。
【図６】撮像素子と信号処理基板とが固定された構成を有する撮像装置を示す図である。
【発明を実施するための形態】
【００１０】
図１乃至４は、本発明の実施例１の撮像装置の構成を示す図である。図１は、実施例１の撮像装置の全体構成の例であって、撮像装置の垂直断面図である。図２は、撮像レンズをつけていない状態の撮影レンズの内部構成例を示す。図２（Ａ）は、撮像装置の要部の水平断面上視図である。図２（Ｂ）は、撮像装置の要部の垂直断面図である。また、図３は、撮像装置の要部の外観斜視図である。図３（Ａ）は、撮像装置の要部の正面から見た外観斜視図を示す。図３（Ｂ）は、撮像装置の要部の背面方向から見た外観斜視図を示す。図３（Ａ）、（Ｂ）に示す撮像装置は、撮像素子３が基準位置にある状態である。
【００１１】
また、図４は、撮像装置の要部の水平断面の上視図であって、後述する圧電素子の駆動による撮像素子の移動機構の動作例を示す。図４（Ａ）は、撮像素子３が基準位置にある撮像装置の状態の例を示す。この例では、撮像素子３の撮像面が撮影レンズ（図示を省略）の予定結合面Ｐにある位置が撮像素子３の基準位置である。図４（Ｂ）は、撮像素子３が前進した状態の例である。図４（Ｃ）は、撮像素子３が後退した状態の例である。
【００１２】
図１乃至図４に示す撮像装置は、例えば、ＣＣＤセンサやＣＭＯＳセンサ等の撮像素子により被写体像を光電変換して画像情報を生成し、任意のメモリ等の電子的記録媒体にその画像情報を記録するデジタル撮像装置である。この撮像装置は、撮像素子を撮像光学系（撮像レンズ）の光軸に沿って移動して撮像する。なお、ＣＣＤは、Ｃｈａｒｇｅ  Ｃｏｕｐｌｅｄ  Ｄｅｖｉｃｅの略称である。ＣＭＯＳは、Ｃｏｍｐｌｅｍｅｎｔａｒｙ  Ｍｅｔａｌ  Ｏｘｉｄｅ  Ｓｅｍｉｃｏｎｄｕｃｔｏｒの略称である。
【００１３】
図１に示す撮像装置において、２１はカメラ本体、２２は交換レンズである。２３は交換レンズ２２に設けられた撮影光学系である。２３ａは撮像光学系２３の中で合焦動作を行うＡＦレンズである。２４は撮像光学系２３の像を撮像素子３およびプリズム２６に分岐するクイックリターンミラーである。２７はプリズムに入射した光束を接眼面に導く観察光学系、２８は撮像素子３への入射を制御するシャッタ、２９は撮影光学系２３により撮像素子３上に結像された画像を再生する背面液晶モニターである。ここで撮像光学系２３の焦点調節はＡＦレンズ２３ａを矢印２３ｂが示す前後の方向に駆動することで行う。
【００１４】
焦点状態の検出は撮像素子３の画像のコントラストを検出した評価値を用いて行う。すなわち、ＡＦレンズ２３ａを所定量ずつ移動させながら撮像素子３で得られる画像の評価値を求め、最も評価値の高い結果が得られるＡＦレンズ２３ａの位置を合焦位置としている。
【００１５】
このような合焦調節動作は、山登りＡＦ、或いはＴＶ−ＡＦ、コントラストＡＦなどと称され、合焦検出の為に専用のセンサが不要であるという利点を有している。しかし、コントラストＡＦは、コントラストの大小は検出できるが、ＡＦレンズ２３ａを移動させないとコントラスト変化の方向が分からないという問題がある。具体的には、コントラストＡＦでは、撮像装置が備える制御部（図示を省略）は、ＡＦレンズ２３ａを所定方向（例えば撮像素子３側）に移動していきながら画像の評価値を求めていく。評価値が低くなっていく場合には、制御部は、ピントが外れていく方向にＡＦレンズ２３ａが駆動されていると判断し、その駆動方向を反転させる必要がある。上記制御部は、本実施形態の撮像装置の制御方法を実現する。
【００１６】
上記のような問題を補うために、ウォブリングと称する合焦検出処理が一般的に行われている。例えば、図１において、制御部が、矢印２５ａが示す前後の方向に撮像素子３を移動させることでウォブリング動作を行う。ウォブリング動作時に、制御部は、撮像素子３が撮像光学系２３側に移動している時の画像の評価値と背面液晶モニター２９側に移動している時の画像の評価値とを比較し、画像評価値の高い側が合焦方向であると判定する。その後、制御部は、合焦方向に向かってＡＦレンズ２３ａを駆動して、最も画像評価値が高くなるレンズ位置を求める。
【００１７】
次に、図２において、１は撮像装置の本体である。１ａは、本体１のレンズ取り付け面（マウント部）である。２はセンサ地板であって、撮像素子３を移動させる機構（以下、撮像素子移動機構と記述）を備える。
【００１８】
センサ地板２は、例えば所定の箇所に調整ワッシャ２ａを挟みこむことにより、その高さ調整が可能なように本体１に取り付けられている。これにより、センサ地板２が、マウント部１ａから所定の距離の位置に保たれるとともに、撮像レンズの光軸に直交する平面性を有する。
【００１９】
撮像素子３は、被写体からの光束が結像される撮像手段として機能する。撮像素子３は、セラミック材などの外形パッケージを有し、撮像素子内部の撮像面に投影された画像を電気信号に変換する。この撮像面がレンズの予定結像面にあることで、ピントの合った画像が撮像される。なお、撮像素子がパッケージされたものを以下では撮像素子パッケージと記述する。
【００２０】
撮像素子３は、いわゆる電子シャッタの機能を備えており、画像信号取り込み開始となる電子シャッタとしての電子先幕、及び取り込み中止を行う電子後幕の機能を有している。すなわち、電子先幕の動作により画像の電荷の蓄積を開始し、電子後幕の動作により所定の時間後に蓄積を終了することが可能である。その後、撮像素子３は、蓄積した画像の電荷の読み出し動作を行い、撮像手段３からの電気的な接続手段である撮像素子側フレキシブル基板８を経由して、後述する信号処理手段に画像信号を出力する。
【００２１】
撮像素子３は、撮像素子保持板４に取り付けられている。撮像素子保持板４は、撮像素子３を保持する保持手段として機能する。撮像素子保持板４は、略コの字形状を有する。具体的には、撮像素子保持板４は、平面部４ｂと、略直径に曲げられた腕部４ａとを有する。なお、撮像素子保持板４が、撮像素子パッケージに一体成型されており、撮像信号を外部に出力する端子（リード）をその一部とする金属板であってもよい。平面部４ｂは、撮像素子３から撮像素子３の長手方向に沿って延伸する第１の平面部である。
【００２２】
腕部４ａは、第１の平面部（平面部４ｂ）と予め決められた角度（この例では略直角）をなす第１の屈曲部である。腕部４ａの先端は、板バネ５の平面部５ｂと撮像素子保持板４の平面部４ｂとが平行となるように、つまり、平面部５ｂと撮像素子３の撮像面とが平行となるように、板バネ５の腕部５ａと精度良く半田付け固定されている。これにより、撮像素子３の撮像面が傾かないようにし、後述する板バネ５の平面部５ｂの撓み変形に伴って撮像素子３が光軸Ｌに沿って移動することができるようになる。
【００２３】
弾性支持手段５は、撮像素子保持板４を弾性支持する。弾性支持手段５は、弾性部材（例えば板バネ等の薄板部材）である。以下では、弾性支持手段５を板バネ５とも記述する。この例では、板バネ５は、弾性を有するニッケルと鉄の合金である４２アロイ材からなる矩形の板材を曲げて加工して形成されている。板バネ５は、略コの字形状を有する。具体的には、板バネ５は、中央の平面部５ｂと、両端の略直角に曲げられた腕部５ａとを備える。平面部５ｂは、後述するカウンタウェイト９が設けられた第２の平面部である。腕部５ａは、該第２の平面部（平面部５ｂ）と予め決められた角度（この例では略直角）をなす第２の屈曲部である。
【００２４】
板バネ５は、その腕部５ａの先端において、撮像素子３の撮像面と板バネ５の平面部５ｂが略平行となる状態で、撮像素子保持板の腕部４ａと精度良く半田付け固定されている。板バネ５は、圧電素子７の伸縮に伴って、その中心部を中心に前後の厚板方向（光軸に沿った方向）に撓み変形する。板バネ５が撓み変形することにより、撮像素子３が、光軸Ｌに沿って移動する。
【００２５】
板バネ５は、所定の接合部において支点６と接合し、固定される。支点６は、板バネ５を図中の上下から挟む、一対の支持部材である。各々の支点６は、板バネ５の中央部から略等距離の位置で、後述の圧電素子７のたわみ変形に支障なく板バネ５及び撮像素子３を支持している。
【００２６】
支点６は、４箇所の支点調整板６ａを挟んで、センサ地板２に対して調整可能に取り付けられる。これにより、図４（Ａ）に示すように、撮像素子３の撮像面の位置が、撮影レンズの予定結合面Ｐの位置に調整される。すなわち、支点６は、平面部５ｂを予め決められた支持点（支点６）において支持し、撮像素子３の基準位置を調整する支持手段として機能する。支点調整板６ａは、板バネ５の短手方向において、支点６の端部のそれぞれに２つ（合計４つ）設けられている。
【００２７】
圧電素子７（圧電素子７ａおよび７ｂ）は、板バネ５の平面部５ｂに貼り付けられており、電圧印加によって伸縮する。圧電素子７ａは、平面部５ｂの表面に貼り付けられており、圧電素子７ｂは、平面部５ｂの裏面に貼り付けられている。
【００２８】
圧電素子７ａ、７ｂは、板バネ５の平面部５ｂを弾性変形させることによって撮像素子３を光軸に沿った方向に移動させる駆動手段である。この例では、圧電素子７ａ，７ｂは、ＰＺＴなどを材料とした薄板状の圧電セラミック素子である。撮像装置が備える制御部が、圧電素子７ａ、７ｂに対して印加する電圧の大きさと電流の流れる方向を制御する。これにより、圧電素子の伸縮方向と伸縮量とが制御される。この例では、パラレル型という接続方法により、一定の電圧を上下の圧電素子に印加し、上下の圧電素子が互いに逆方向に伸縮する。
【００２９】
例えば、プラス電圧の印加により、圧電素子７ａは伸縮し、圧電素子７ｂは伸長する。従って、図４（Ｂ）に示すように、一体となって接着された板バネ５は、前側が凹むように変形し、撮像素子３が前進する。また、マイナス電圧の印加により、圧電素子７ａは伸長し、圧電素子７ｂは収縮する。従って、図４（Ｃ）に示すように、一体となって接着された板バネ５は、前側が突出するように変形し、撮像素子３は後退する。つまり、圧電素子に対する電圧の印加により、支点６を支点として、板バネ５の平面部５ｂの中央部と腕部５ａの先端部分との間に変位が生じ、撮像素子３が光軸Ｌに沿って移動する。なお、圧電素子７の伸長または収縮の変位量は、印加する電圧の大きさを調整することによって制御可能である。上述した板バネ５、支点６、圧電素子７は、撮像素子３を光軸に沿った方向に移動させる撮像素子移動機構を構成する。
【００３０】
カウンタウェイト９は、放熱手段として機能する。この例では、カウンタウェイト９は、真鍮などの、比重が大きく、かつ、放熱の良好な材料からなる。また、カウンタウェイト９は、複数の放熱フィンを備える。撮像素子３周辺で発生した熱は、最終的にカウンタウェイト９が備える放熱フィンのヒートシンク効果により効率良く放熱される。なお、カウンタウェイト９の質量は、撮像素子３の質量とストロークの積をカウンタウェイト９のストロークで割って得られる質量である。つまり、カウンタウェイト９の質量は、撮像素子３の移動による振動を打ち消すことができる質量である。
【００３１】
カウンタウェイト９は、平面部５ｂの裏面の、圧電素子７ｂが設けられた領域よりも該裏面の延伸方向外側に設けられている。具体的には、図２（Ｂ）に示すように、カウンタウェイト９は、平面部５ｂの裏面の中央の上下２点のみを取り付け位置として、カウンタウェイト取り付け位置１０において板バネ５に固定されている。従って、カウンタウェイト９の板バネ５の取り付けは、圧電素子による板バネ５の撓み変形に影響しない。
【００３２】
信号処理基板１１は、撮像素子３が出力する画像信号を処理する信号処理手段の一部である。信号処理基板１１は、信号処理側フレキシブル基板１２を介して、撮像手段３から画像信号を受け取り、受け取った画像信号をアナログ／デジタル変換する（アナログ／デジタル変換機能を有する）。
【００３３】
信号処理基板１１は、図２（Ｂ）に示すように、撮像素子３の背面側に設けられている。信号処理基板１１と撮像素子３との間には、光軸に沿った方向の間隙が存在する。信号処理基板１１は、その中央部において信号基板保持部材１３を介して変形部材である板バネ５に固定されている。すなわち、信号処理手段は、少なくともその一部（信号処理基板１１）が板バネ５に固定されている。信号処理基板１１は、板バネ５の弾性変形によって、撮像素子３とは逆位相側に移動する。
【００３４】
図２（Ｂ）に示す撮像素子側フレキシブル基板８と信号処理側フレキシブル基板１２は、撮像素子３と信号処理基板１１とを電気的に接続する接続手段として機能する。撮像素子側フレキシブル基板８は第１の接続手段である。信号処理側フレキシブル基板１２は第２の接続手段である。撮像素子側フレキシブル基板８、信号処理側フレキシブル基板１２の信号伝達距離は同じである。撮像素子側フレキシブル基板８と信号処理側フレキシブル基板１２は、撮像素子３と信号処理基板１１との間の間隙に設けられている。
【００３５】
撮像素子側フレキシブル基板８と信号処理側フレキシブル基板１２は、光軸Ｌと垂直な平面を接続面として互いに接続されている。これにより、撮像素子移動機構による撮像素子３の光軸方向への移動を阻害する力の発生を抑えることができる。
【００３６】
図５は、実施例２の撮像装置の構成例を示す図である。実施例２の撮像装置は、図１乃至４を参照して説明した実施例１の撮像装置が備える撮像素子側フレキシブル基板８および信号処理側フレキシブル基板１２に代えて、湾曲フレキシブル基板１４を備える。なお、図５において、撮像素子３は基準位置にある。
【００３７】
湾曲フレキシブル基板１４は、撮像素子３と信号処理基板１１とを電気的に接続する接続手段である。湾曲フレキシブル基板１４は、湾曲形状を有し、撮像素子３と信号処理基板１１とを光軸Ｌに沿って離れる方向に付勢する。すなわち、湾曲フレキシブル基板１４は、図５中の矢印Ｑ方向と矢印Ｒ方向に弾性力を発生させる。その結果、撮像素子３を介して、撮像素子保持板４は矢印Ｑ方向に付勢される。また、信号処理基板１１及び信号基板保持部材１３を介して、板バネ５は矢印Ｒ方向に付勢される。発生する付勢力が光軸線対称となるように、湾曲フレキシブル基板１４は光軸線対称な配置であることが望ましい。この付勢する力により、撮像素子保持板４及び板バネ５により構成される矩形構造は力のつり合いがとられ、駆動時の光軸に対する撮像面の垂直性が安定し、且つ振動の少ない動作が可能となる。
【００３８】
次に、図２と図６とを参照して、本発明の効果について説明する。図６は、撮像素子と信号処理基板とが固定された構成を有する撮像装置を示す図である。信号処理基板１１を分離せずに撮像素子３側へと固定すると、撮像素子３側の信号処理基板１１分の質量の増加分と、板バネ５側の信号処理基板１１分の質量の減量分を打ち消す量だけ、カウンタウェイト９の厚みを増して質量を増量しなければならない。従って、カウンタウェイト９の厚さＢ’は、図２（Ａ）に示す撮像装置が備えるカウンタウェイトの厚さＢより厚くなる。その結果、撮像素子移動機構全体の厚さＡ’（図６）は、図２（Ａ）に示す撮像装置が備える撮像素子移動機構全体の厚さＡより厚くなってしまう。
【００３９】
一方、図２に示す撮像装置においては、撮像素子３と信号処理基板１１との電気的な接続手段である撮像素子側フレキシブル基板８及び信号処理側フレキシブル基板１２が上下に複数配置され、その信号伝達距離が等距離となるように配置される。また、撮像素子側フレキシブル基板８及び信号処理側フレキシブル基板１２は、撮像素子３と板バネ５の間の内側に納まるように配置される。なお、伝達距離の等距離が保たれ、光軸線対称な配置が保たれる構造であれば、撮像素子側フレキシブル基板８と信号処理側フレキシブル基板１２は、左右や斜めに配置されてもよい。
【００４０】
図２に示す撮像装置が備える撮像素子移動機構は、板バネ５、支点６、駆動源である圧電素子７ａ、７ｂを有する。制御部が、圧電素子７に電圧印加することによって圧電素子７が伸縮すると、板バネ５の平面部５ｂがたわみ変形するが腕部５ａは前後に移動する。これにより、撮像素子３は光軸方向に直交する撮像面を維持したまま、フランジバック位置から光軸方向に前進あるいは後退する。同時に、カウンタウェイト９が後退あるいは前進し、撮像素子３とカウンタウェイト９は互いに逆方向に移動する。この時、板バネ５に固定された信号処理基板１１の一部も、カウンタウェイト９と同方向に移動する。
【００４１】
この撮像素子３と、カウンタウェイト９および信号処理基板１１の、光軸逆方向の移動により、カウンタバランスがとられる。カウンタバランスは、撮像素子３とカウンタウェイト９および信号処理基板１１の質量比およびストローク比で決まる。
【００４２】
図２に示す撮像装置のように、信号処理手段を撮像素子３に固定するのではなく板バネ５に固定することにより、以下の効果が得られる。すなわち、撮像素子３側の質量が信号処理基板１１の分軽くなるので、カウンタウェイト９側を軽量化できる。また、カウンタウェイト９側に信号処理基板１１分の質量が足されることになるので、カウンタウェイト９の質量を軽量化することができる。そして、カウンタバランスをとるためには撮像素子３の重心と、カウンタウェイト９側の重心とが、ともに光軸Ｌ上にある必要があるが、軽量化によりカウンタウェイト９の薄型化が可能となり、結果として撮像素子移動機構全体の小型化、薄型化が可能となる。
【００４３】
本発明の撮像装置によれば、板バネ５が保持する部材の質量を軽量化することが可能となり、図２（Ａ）に示す信号処理基板１１の厚さＣとカウンタウェイト９の厚さＢとを合わせた厚さである厚さＡをより小さく抑えることができる。すなわち、撮像素子移動機構全体の厚さが、図６に示す撮像装置の撮像素子移動機構全体の厚さである厚さＡ’から厚さＡへと薄型化する。
【００４４】
信号処理基板１１の重量がより重い方が、カウンタウェイト９の軽量化への寄与は大きくなる。しかし、信号処理手段が撮像素子移動機構へと搭載されることによるノイズ等の影響を抑えるために、アナログ／デジタル変換機能を有する信号処理基板１１の重量は、画像劣化を最小限に抑える重量にする。
【００４５】
また、撮像素子移動機構のストローク制御については、制御部が電圧制御によって圧電素子７たわみ量を変化させ、撮像素子３が前後するストロークを変化させることを通じて行う。
【００４６】
一方、２箇所の支点６の、板バネ５の長手方向の間隔を調整することにより、撮像素子３が移動するストロークとカウンタウェイト９が移動するストロークの比を変化させることができる。また、板バネ５の短手方向において、支点調整板６ａにより支点６の光軸方向の高さを変化させて板バネ５を捻ることで、撮像素子３の撮像面の倒れ方が変化する。このように支点６の位置を前後、左右、あるいは傾けて微調整することによって、部品の製造ばらつきがあっても、撮像素子３の撮像面が光軸に対し傾きがなく、フランジバック距離の基準位置にあるように調整することができる。
【００４７】
本発明の撮像装置においては、撮像素子３と信号処理基板１１とが分離し、信号処理基板１１が板バネ５に固定されている。また、信号処理基板１１は、撮像素子３と逆位相で移動する。従って、本発明によれば、精度が高く、小型でかつ薄型の撮像素子移動機構を備えた撮像装置を提供することができる。
【符号の説明】
【００４８】
１  本体
２  センサ地板
３  撮像素子
４  撮像素子保持板
５  板バネ
６  支点
７  圧電素子
８  撮像素子側フレキシブル基板
１２  信号処理側フレキシブル基板
【図１】
2012208155.tif 000003
【図２】
2012208155.tif 000004
【図３】
2012208155.tif 000005
【図４】
2012208155.tif 000006
【図５】
2012208155.tif 000007
【図６】
2012208155.tif 000008